(57)【特許請求の範囲】
【請求項１】
処理データの入力操作を受け付ける第１データ処理装置と、処理データに基づく処理動作を実行する第２データ処理装置と、を接続し、第１データ処理装置と第２データ処理装置との間でデータの送受信を行うデータ処理システムにおいて、
第１データ処理装置及び第２データ処理装置が処理データの入力操作の待機状態が所定時間継続した際に電源を切断する電源節電機能を個別に備えるとともに、
第１データ処理装置と第２データ処理装置とが接続されている間に第１データ処理装置の電源節電機能と第２データ処理装置の電源節電機能とを同時に有効にし、第１データ処理装置は第２データ処理装置に接続されている状態では第２データ処理装置からの指示によって電源節電機能への切換を無効にし、
第２データ処理装置の電源節電機能が所定時間を計時した時に、第１データ処理装置が処理データを不揮発性メモリに退避させ、かつ、第２データ処理装置が処理動作状態を不揮発性メモリに退避させた後に、第１データ処理装置及び第２データ処理装置の電源を切断することを特徴とするデータ処理システム。
【請求項２】
処理データの入力操作を受け付ける第１データ処理装置と、処理データに基づく処理動作を実行する第２データ処理装置と、を接続し、第１データ処理装置と第２データ処理装置との間でデータの送受信を行うデータ処理システムにおいて、
第１データ処理装置及び第２データ処理装置が処理データの入力操作の待機状態が所定時間継続した際に電源を切断する電源節電機能を個別に備えるとともに、第１データ処理装置と第２データ処理装置とが接続されている間に第１データ処理装置の電源節電機能と第２データ処理装置の電源節電機能とを同時に有効にし、
前記第１データ処理装置が処理データの入力操作に係る複数のプログラムを記憶するとともに、第１データ処理装置と第２データ処理装置とが接続されている間に前記複数のプログラムの一部のプログラムの実行を禁止することを特徴とするデータ処理システム。
【請求項３】
処理データの入力操作を受け付ける第１データ処理装置と、処理データに基づく処理動作を実行する第２データ処理装置と、を接続し、第１データ処理装置と第２データ処理装置との間でデータの送受信を行うデータ処理システムにおいて、
第１データ処理装置及び第２データ処理装置が処理データの入力操作の待機状態が所定時間継続した際に電源を切断する電源節電機能を個別に備えるとともに、第１データ処理装置と第２データ処理装置とが接続されている間に第１データ処理装置の電源節電機能と第２データ処理装置の電源節電機能とを同時に有効にし、
前記第２データ処理装置が前記第１データ処理装置が有する処理データの入力操作部材と機能が共通する単一又は複数の入力操作部材を備え、第１データ処理装置と第２データ処理装置とが接続されている間に第１データ処理装置と第２データ処理装置とにおいて機能が共通する入力操作部材について一方の入力操作部材による処理データの入力操作のみを有効にすることを特徴とするデータ処理システム。
【請求項４】
前記第１データ処理装置が内部電源を備えるとともに、前記第２データ処理装置が第１データ処理装置に電源を供給する単一又は複数の電源供給部を備え、電源供給部による第１データ処理装置に対する電源供給状態を検出し、電源供給状態の検出結果に応じて内部電源、又は、いずれかの電源供給部から第１データ処理装置に電源を供給する請求項１に記載のデータ処理システム。
【請求項５】
前記第１データ処理装置が充電可能な内部電源を備え、前記第１データ処理装置と第２データ処理装置とが接続されている間に前記第２データ処理装置が前記電源供給部を介して第１データ処理装置の内部電源を充電する請求項１に記載のデータ処理システム。
【請求項６】
第１データ処理装置と第２データ処理装置とが接続されている間に、第２データ処理装置における電源節電機能が有効にされるまでの待機状態の継続時間を第１データ処理装置における電源節電機能が有効にされるまでの待機状態の継続時間として設定する請求項１に記載のデータ処理システム。
【発明の詳細な説明】
【０００１】
【産業上の利用分野】
この発明は、携帯端末装置等の第１データ処理装置を第２データ処理装置の操作部の一部として装着可能にしたデータ処理システムに関し、特に、第２データ処理装置から第１データ処理装置に対して安定した電源供給状態を維持・制御できるように構成したデータ処理システムに関する。
【０００２】
【従来の技術】
操作部の操作により入力された処理データに基づいてデータの処理動作を実行する第２データ処理装置として、カラーディジタル複写機が知られている。このカラーディジタル複写機では、スキャナ等の画像入力部から入力されたカラー原稿の画像に対して所定の画像処理を施し、画像処理後の画像データに基づいてカラープリンタ部からカラー原稿の画像を再現した複写画像を出力する。
【０００３】
このようなカラーディジタル複写機において、特開平５−１４５６７３号公報には、外部の汎用パソコン等を第２操作手段として使用し、第２操作手段において設定入力された操作パラメータに基づいてカラーディジタル複写機における処理を実行するようにした構成が開示されている。また、実公平２−６４５１号公報には、予め設定入力された操作モードを記憶する操作部を複写機本体に対して着脱自在にし、複写機本体に装着された操作部に記憶されている操作モードによる複写動作を実行するようにした構成が開示されている。
【０００４】
このように、従来より、第２データ処理装置に対して別体の外部装置である第１データ処理装置から入力された処理データに基づいてデータの処理動作を実行するようにしたデータ処理システムが提案されており、第１データ処理装置として所謂モバイルコンピュータ等の携帯端末を用いることが考えられる。
【０００５】
【発明が解決しようとする課題】
しかしながら、従来のデータ処理システムでは、第１データ処理装置及び第２データ処理装置の電源について外部装置の使用時間や外部装置におけるデータの保存状態の観点から考慮したものがなく、特に、第１データ処理装置として携帯端末を使用する場合に、携帯端末から第２データ処理装置に対してデータを送信する際にも携帯端末に備えられた電源電池のみを常時使用することとすると、携帯端末をデータ処理システムにおける外部装置として長時間使用することができない問題がある。
【０００６】
この問題を解決するために、データ処理装置から携帯端末に対して電源を供給することとすると、携帯端末における起動時及び終了時の処理手順がデータ処理装置の起動時及び終了時の処理手順と相違する場合に、携帯端末とデータ処理装置との接続状態を不用意に切断することによって携帯端末が記憶しているデータが破壊され、適正なデータ処理を行うことができなくなる問題がある。
【０００７】
この発明の目的は、第２データ処理装置に携帯端末装置等の第１データ処理装置を接続してデータ処理システムを構成した場合に、第１データ処理装置との間のデータの送受信だけでなく、第１データ処理装置に対する電源供給状態をも第２データ処理装置において制御することにより、第２データ処理装置に接続する第１データ処理装置を時間的制約を受けることなく使用することができるとともに、第１データ処理装置が記憶しているデータの破壊を防止して適正に活用することができるデータ処理システムを提供することにある。
【０００８】
請求項１に記載した発明は、処理データの入力操作を受け付ける第１データ処理装置と、処理データに基づく処理動作を実行する第２データ処理装置と、を接続し、第１データ処理装置と第２データ処理装置との間でデータの送受信を行うデータ処理システムにおいて、
第１データ処理装置及び第２データ処理装置が処理データの入力操作の待機状態が所定時間継続した際に電源を切断する電源節電機能を個別に備えるとともに、
第１データ処理装置と第２データ処理装置とが接続されている間に第１データ処理装置の電源節電機能と第２データ処理装置の電源節電機能とを同時に有効にし、第１データ処理装置は第２データ処理装置に接続されている状態では第２データ処理装置からの指示によって電源節電機能への切換を無効にし、
第２データ処理装置の電源節電機能が所定時間を計時した時に、第１データ処理装置が処理データを不揮発性メモリに退避させ、かつ、第２データ処理装置が処理動作状態を不揮発性メモリに退避させた後に、第１データ処理装置及び第２データ処理装置の電源を切断することを特徴とする。
【０００９】
請求項１に記載した発明においては、第１データ処理装置と第２データ処理装置とが接続されている状態では、第１データ処理装置と第２データ処理装置とが同時に電源節電モードにされる。したがって、第２データ処理装置に接続されている第１データ処理装置において所定時間継続して処理データの入力操作が行われなかった場合にも、電源節電機能により第１データ処理装置の電源のみが切断されることがなく、第２データ処理装置とともにデータ処理システムを構成している間において第１データ処理装置の電源が単独で切断されることによるデータ処理システムの使用不能状態の発生が未然に防止される。
【００１０】
請求項２に記載した発明は、処理データの入力操作を受け付ける第１データ処理装置と、処理データに基づく処理動作を実行する第２データ処理装置と、を接続し、第１データ処理装置と第２データ処理装置との間でデータの送受信を行うデータ処理システムにおいて、
第１データ処理装置及び第２データ処理装置が処理データの入力操作の待機状態が所定時間継続した際に電源を切断する電源節電機能を個別に備えるとともに、第１データ処理装置と第２データ処理装置とが接続されている間に第１データ処理装置の電源節電機能と第２データ処理装置の電源節電機能とを同時に有効にし、
前記第１データ処理装置が処理データの入力操作に係る複数のプログラムを記憶するとともに、第１データ処理装置と第２データ処理装置とが接続されている間に前記複数のプログラムの一部のプログラムの実行を禁止することを特徴とする。
【００１１】
請求項２に記載した発明においては、第２データ処理装置に接続されている状態の第１データ処理装置において一部のプログラムの実行が禁止される。したがって、第２データ処理装置とともに構成するデータ処理システムに不要なプログラムが第１データ処理装置において起動することがない。
【００１２】
請求項３に記載した発明は、処理データの入力操作を受け付ける第１データ処理装置と、処理データに基づく処理動作を実行する第２データ処理装置と、を接続し、第１データ処理装置と第２データ処理装置との間でデータの送受信を行うデータ処理システムにおいて、
第１データ処理装置及び第２データ処理装置が処理データの入力操作の待機状態が所定時間継続した際に電源を切断する電源節電機能を個別に備えるとともに、第１データ処理装置と第２データ処理装置とが接続されている間に第１データ処理装置の電源節電機能と第２データ処理装置の電源節電機能とを同時に有効にし、
前記第２データ処理装置が前記第１データ処理装置が有する処理データの入力操作部材と機能が共通する単一又は複数の入力操作部材を備え、第１データ処理装置と第２データ処理装置とが接続されている間に第１データ処理装置と第２データ処理装置とにおいて機能が共通する入力操作部材について一方の入力操作部材による処理データの入力操作のみを有効にすることを特徴とする。
【００１３】
請求項３に記載した発明においては、単一のデータ処理システムを構成する第１データ処理装置と第２データ処理装置とにおいて機能が共通する入力操作部材が存在する場合に、一方の入力操作部材のみが有効にされる。したがって、第１データ処理装置及び第２データ処理装置のそれぞれから同一の機能に係る処理データが入力されることがない。
【００１４】
請求項４に記載した発明は、前記第１データ処理装置が内部電源を備えるとともに、前記第２データ処理装置が第１データ処理装置に電源を供給する単一又は複数の電源供給部を備え、電源供給部による第１データ処理装置に対する電源供給状態を検出し、電源供給状態の検出結果に応じて内部電源、又は、いずれかの電源供給部から第１データ処理装置に電源を供給することを特徴とする。
【００１５】
請求項４に記載した発明においては、第１データ処理装置に対する第２データ処理装置からの電源供給状態に応じて、第１データ処理装置の内部電源、又は、第２データ処理装置の電源供給部のいずれかから第１データ処理装置の電源が選択的に供給される。したがって、第１データ処理装置に対して適宜最適な手段により電源が供給される。
【００１６】
請求項５に記載した発明は、前記第１データ処理装置が充電可能な内部電源を備え、前記第１データ処理装置と第２データ処理装置とが接続されている間に前記第２データ処理装置が前記電源供給部を介して第１データ処理装置の内部電源を充電することを特徴とする。
【００１７】
請求項５に記載した発明においては、第１データ処理装置の内部電源が第２データ処理装置の電源供給部を介して充電される。したがって、第２データ処理装置とによってデータ処理システムを構成している間に、第１データ処理装置を単独で動作させる際の電源が確保される。
【００１８】
請求項６に記載した発明は、第１データ処理装置と第２データ処理装置とが接続されている間に、第２データ処理装置における電源節電機能が有効にされるまでの待機状態の継続時間を第１データ処理装置における電源節電機能が有効にされるまでの待機状態の継続時間として設定することを特徴とする。
【００１９】
請求項６に記載した発明においては、第１データ処理装置と第２データ処理装置とが接続されている状態では、第１データ処理装置における電源節電機能が有効にされるまでの待機状態の継続時間として第２データ処理装置における電源節電機能が有効にされるまでの待機状態の継続時間が設定される。したがって、第１データ処理装置における電源節電機能が有効にされるまでの待機状態の継続時間が経過した時に、第１データ処理装置と第２データ処理装置との間でのデータの遣り取りを必要とすることなく、第１データ処理装置と第２データ処理装置とにおける電源節電モードが同時に実行される。
【００２０】
【発明の実施の形態】
以下に、この発明の実施形態の一例として、携帯端末装置を第１データ処理装置とし、ディジタルカラー複写機（以下、単に複写機という。）を第２データ処理装置とするデータ処理システムを例にあげて説明する。なお、第１データ処理装置及び第２データ処理装置としては、処理データの送受信を行うことを条件として種々の装置を適用することができる。
【００２１】
図１は、この発明の実施形態に係るデータ処理システムを構成する複写機の構成を示す図である。複写機１の上面には、原稿台１１１及び図外の操作パネルが設けられている。原稿台１１１の上面には、自動原稿送り装置１１２が原稿台１１１の上面を開閉自在にして装着されている。一方、複写機１の内部には、画像読取部１１０、画像形成部２１０及び用紙給紙部２１１が構成されている。
【００２２】
自動原稿送り装置１１２としては、積層載置された複数枚の両面原稿を１枚ずつ表裏面を反転して原稿台１１１に搬送できる自動両面原稿送り装置を用いることができる。自動両面原稿送り装置は、両面原稿については、１枚の原稿をその表面が原稿台１１１に対向するように搬送し、表面に対する画像読取処理が終了した後にその原稿の表裏面を反転して裏面が原稿台１１１に対向するように搬送し、１枚の原稿の表裏面について画像読取処理が終了すると、その原稿を排出して次の原稿について同様に原稿台１１１への搬送を行う。この自動原稿送り装置１１２における原稿搬送動作は、複写機１の全体の動作の一部として制御される。
【００２３】
画像読取部１１０は、露光ランプ及びミラーを搭載した第１走査ユニット１１３、ミラーを搭載した第２走査ユニット１１４、光学レンズ１１５及び光電変換素子１１６を備えている。第１走査ユニット１１３及び第２走査ユニット１１４は、原稿台１１１の下面を原稿台１１１に平行に移動し、露光ランプの光によって原稿台１１１に対向する原稿の画像を走査して原稿の画像面における反射光を光学レンズ１１５に配光する。光学レンズ１１５は、原稿の画像面における反射光を光電変換素子１１６に結像する。光電変換素子１１６は、原稿の画像面における反射光に応じた電気信号を画像信号として出力する。
【００２４】
用紙給紙部２１１は、給紙カセットに収納された用紙を１枚ずつ分離して画像形成部２１０方向に給紙する。用紙給紙部２１１から給紙された用紙は、レジストローラ２１２に前端部を当接して一旦停止した後、レジストローラ２１２の回転により画像形成部２１０の動作に同期して画像形成部２１０に導かれる。画像形成部２１０の下部には、搬送ベルト機構２１３が配置されている。搬送ベルト機構２１３は、駆動ローラ２１４と従動ローラ２１５との間に搬送ベルト２１６を張架しており、吸着用帯電ブラシ２２８により帯電した搬送ベルト２１６の表面に用紙を静電吸着して搬送する。
【００２５】
画像形成部２１０は、第１〜４の画像形成ステーションＰａ〜Ｐｄを備えている。第１の画像形成ステーションＰａは、矢印Ｆ方向に回転自在に支持した感光体ドラム２２２ａの周囲に、感光体ドラム２２２ａの表面に単一極性の電荷を帯電する帯電器２２３ａ、感光体ドラム２２２ａの表面に画像光を照射するレーザユニット２２７ａ、感光体ドラム２２２ａの表面に形成された静電潜像をトナー像に顕像化する現像装置２２４ａ、感光体ドラム２２２ａの表面に担持されたトナー像を用紙の表面に転写する転写器２２５ａ、及び、感光体ドラム２２２ａの表面に残留したトナーを除去するクリーナ２２６ａを対向して配置している。第２〜４の画像形成ステーションＰｂ〜Ｐｄのそれぞれは第１の画像形成ステーションＰａ同一の構成を有している。
【００２６】
第１〜４の画像形成ステーションＰａ〜Ｐｄのそれぞれは、イエロー、マゼンタ、シアン及びブラックの各色に対応している。即ち、光電変換素子１１６から出力された画像信号が後述する画像処理部においてイエロー、マゼンタ、シアン及びブラックの各色の画像データに画像処理されてレーザユニット２２７ａ〜２２７ｄのそれぞれに供給される。
【００２７】
レーザユニット２２７ａ〜２２７ｄのそれぞれは、画像データに応じたレーザ光を照射する半導体レーザ素子、レーザ光を主走査方向に偏向させるポリゴンミラー、及び、偏向後のレーザ光を感光体ドラム２２２ａ〜２２２ｄの表面に結像させるｆθレンズを備え、イエロー、マゼンタ、シアン及びブラックの各色の画像データに基づく画像光を感光体ドラム２２２ａ〜２２２ｄのそれぞれの表面に照射する。
【００２８】
また、現像装置２２４ａ〜２２４ｄのそれぞれには、イエロー、マゼンタ、シアン及びブラックの各色のトナーが収納されている。これによって、感光体ドラム２２２ａ〜２２２ｄのそれぞれの表面にイエロー、マゼンタ、シアン及びブラックの各色のトナー像が形成される。
【００２９】
画像形成ステーションＰａ〜Ｐｄのそれぞれにおいて形成された各色のトナー像は、搬送ベルト２１６の表面に静電吸着した用紙に転写される。複写機１の内部において搬送ベルト機構２１３の下流側には定着装置２１７が配置されており、トナー像を転写した用紙は定着装置２１７に導かれて加熱及び加圧を受け、トナー像は用紙の表面に溶融して定着する。定着装置２１７を通過した用紙は、ゲート２１８の動作により排紙ローラ２１９又はスイッチバック搬送路２２１に選択的に導かれる。即ち、片面複写モード時及び両面複写モードにおける用紙両面への複写終了時には、用紙は排紙ローラ２１９を介して排紙トレイ２２０に排出される。一方、両面複写モードにおける用紙片面への複写終了時には、用紙はスイッチバック搬送路２２１において表裏面を反転して画像形成部２１０に再度給紙される。
【００３０】
図２は、上記複写機の制御部の構成を示すブロック図である。複写機１の各部は、中央処理ユニット４４によって統括制御されている。このため、中央処理ユニット４４には、画像処理部４１、操作パネルユニット４５、ＡＤＦ関係負荷４６、データ通信ユニット４７、画像読取部関係負荷４８、画像形成部関係負荷４９、センサ入力部５０及び用紙搬送関係負荷５１が接続されている。
【００３１】
ＡＤＦ関係負荷４６には、自動原稿送り装置１１２における原稿の搬送動作に必要なモータ、クラッチ及びスイッチ等が含まれる。画像読取部関係負荷４８には、画像読取部１１０における走査ユニット１１３，１１４の動作に必要なモータやソレノイド等が含まれる。画像形成部関係負荷４９には、感光体ドラム２２２ａ〜２２２ｄの回転動作等に必要なモータ、ソレノイド及び高圧電源回路等が含まれる。用紙搬送関係負荷５１には、用紙給紙部２１１から画像形成部２１０を経由して排紙トレイ２２０に至る用紙搬送路を構成する給紙ローラ、レジストローラ２１２、搬送ベルト２１６及び排紙ローラ２１９等の回転動作に必要なモータやクラッチ等が含まれる。
【００３２】
画像処理部４１は、画像入力部４０、画像データ出力部４２及び画像データ記憶部４３を備えている。画像処理部４１は、画像読取部１１０の光電変換素子１１６から入力された画像信号を画像データ入力部４０においてディジタルデータに変換し、所定の処理を施して画像データ記憶部４３に一時格納した後、画像データ出力部４２から画像形成部２１０のレーザユニット２２７ａ〜２２７ｄに出力する。
【００３３】
センサ入力部５０には、用紙給紙部２１１から画像形成部２１０を経由して排紙トレイ２２０に至る用紙搬送路中に配置された複数の用紙検知センサ、及び、複写機１の各部の開閉状態を検出するロック検知センサが接続されている。センサ入力部５０は、これら用紙検知センサ及びロック検知センサの検出信号を中央処理ユニット４４に入力する。
【００３４】
操作パネルユニット４５には、複写機１の上面に配置された操作パネルを構成するキースイッチやディスプレイ等が含まれる。操作パネルユニット４５は、キースイッチの操作による画像処理データの入力を受け付けて入力された画像処理データを中央処理ユニット４４に出力するとともに、中央処理ユニット４４から入力された表示データをディスプレイに表示する。
【００３５】
データ通信ユニット４７には、後述する携帯端末装置が接続される。中央処理ユニット４４は、データ通信ユニット４７を介して携帯端末装置から画像データ及び画像処理データの入力を受け付けるとともに、データ通信ユニット４７を介してて携帯端末装置に表示データ及び制御データを出力する。
【００３６】
中央処理ユニット４４は、操作パネルユニット４５の操作により、又は、データ通信ユニット４７を介して入力された画像処理データ、及び、センサ入力部５０から入力された検出信号に基づいて、画像処理部４１、ＡＤＦ関係負荷４６、画像読取部関係負荷４８、画像形成部関係負荷４９及び用紙搬送関係負荷５１に制御データを出力するとともに、操作パネルユニット４５に対する表示データの出力、並びに、データ通信ユニット４７を介して携帯端末装置に対する表示データ及び制御データの出力を行う。
【００３７】
図３（Ａ）及び（Ｂ）は、上記データ処理システムを構成する携帯端末装置の正面図及び背面図である。携帯端末装置２は、所謂モバイルコンピュータであり、正面に透明タッチパネル５９を有するカラーディスプレイ３、電源スイッチ４、並びに、置数キー及びリターンキーを含むキースイッチ５を備えている。また、背面に充電型バッテリ６ａ，６ｂの装着部７が形成されている。携帯端末装置２は、装着部７に装着した充電型バッテリ６ａ，６ｂから電力供給を受ける。また、図外のＡＣアダプタを介して商用電源から電力供給を受けることができる。携帯端末装置２は、可搬可能な薄型に形成されており、後述するように複写機１の操作パネルの一部に装着可能な形状にされている。携帯端末装置２は、入力ペン８によるタッチパネル５９の押圧操作、又は、キースイッチ５の操作によりデータの入力を受け付ける。
【００３８】
図４は、上記携帯端末装置の制御部の構成を示すブロック図である。携帯端末装置２の各部は、ＲＯＭ５５及びＲＡＭ５６を備えたＣＰＵ５４によって統括制御される。このため、ＣＰＵ５４には、ディスプレイデータ処理部５２、入力データ処理部５３、ＬＥＤドライバ５７、音源ユニット５８、ＨＤＤドライバ６０、外部データ処理部６１及び電源部６２が接続されている。
【００３９】
ディスプレイデータ処理部５２は、ＣＰＵ５４から出力される表示データをデータ展開してディスプレイドライバ６３に供給する。ディスプレイドライバ６３は、ディスプレイデータ処理部５２から供給されたデータに基づいてカラーディスプレイ３を駆動する。入力データ処理部５３は、キースイッチ５及びタッチパネル５９における操作データをＣＰＵ５４に出力する。ＬＥＤドライバ５７は、ＣＰＵ５４から出力される駆動データに基づいて、携帯端末装置２の動作状態を表示するＬＥＤ６４を点灯する。
【００４０】
音源ユニット５８は、ＣＰＵ５４から出力される音声データに基づいて、携帯端末装置２の動作状態を音声表示するスピーカ６５を鳴動する。ＨＤドライバ６０は、携帯端末装置２に入出力されるデータを保存するＨＤに対してデータの書込及び読取を行う。外部データ処理部６１は、フロッピディスクやＩＣカード等の記録媒体に対してデータの書込及び読取を行うとともに、ＩＲ通信部やパラレルインタフェースを介して外部装置とのデータの入出力を行う。また、この発明のデータ処理システムを構成する複写機１との間のデータの入出力は、この外部データ処理部６１を介して行われる。電源部６２は、充電型バッテリ６ａ，６ｂ又はＡＣアダプタから携帯端末装置２の各部に電源を供給する。
【００４１】
図５は、上記携帯端末装置の装着時における複写機の操作パネルを示す図である。複写機１の上面に配置された操作パネル１０には、複写枚数の設定入力を受け付ける置数キー１１、設定された複写枚数をクリアする指示入力及び連続複写動作を中止する指示入力を受け付けるクリアキー１２、複写動作を開始する指示入力を受け付けるスタートキー１３、現在設定されている複写処理データの全てをクリアする指示入力を受け付ける全解除キー１４、連続複写動作中に別の複写動作の割込を受け付ける割込キー１５、設定入力された複写枚数を表示する枚数表示器１６、電源のオン／オフや予熱モード等の状態を表示する状態表示器１７、並びに、ファックス機能及びプリンタ機能の実行状態を示す機能表示器１８を備えている。この操作パネル１０の中央部に携帯端末装置２が着脱自在に装着される。
【００４２】
図６は、上記携帯端末装置のディスプレイの表示状態を示す図である。上述した通り、携帯端末装置２はモバイルコンピュータであり、複写機１の操作パネル１０に装着されていない状態で電源スイッチ４をオンすると、携帯端末装置２のカラーディスプレイ３には、図６（Ａ）に示すように、携帯端末装置２にインストールされているアプリケーションソフトの選択画面が表示され、入力ペン８を介してタッチパネル５９を押圧操作していずれかのアプリケーションソフトのプログラムを選択的に起動させることにより、一般的なパーソナルコンピュータとして機能する。
【００４３】
これに対して、携帯端末装置２を複写機１の操作パネル１０に装着した状態で電源スイッチ４をオンすると、携帯端末装置２のカラーディスプレイ３には、図６（Ｂ）に示すように、複写機１における複写動作を制御するための複写処理データの入力画面が表示され、入力ペン８を介してタッチパネル５９を押圧操作して画像濃度や複写倍率等の複写条件を表す複写処理データを設定入力することができる。
【００４４】
図７は、上記複写機の操作パネルに対する携帯端末装置の装着状態を説明する図である。複写機１の操作パネル１０の略中央部に形成された端末装着部１０ａには、図７（Ａ）に示すように、電源供給部１９が収納されている。この電源供給部１９は、携帯端末装置２に装着される充電型バッテリ６ａ，６ｂと同一の形状を呈しており、図７（Ｂ）に示すように、携帯端末装置１０ａの装着部７から充電型バッテリ６，６ｂを取り外した後に、装着部７に電源供給部１９を装着することができる。このように、携帯端末装置２の装着部７に電源供給部１９を装着して電源端子２０に接続することにより、携帯端末装置２に対して複写機１から電源を供給することができる。
【００４５】
なお、装着部７に２個の充電型バッテリ６ａ，６ｂが装着される場合に、複写機１にも２個の電源供給部１９を設け、２個の電源端子２０のそれぞれに接続するようにしてもよい。また、複写機１に携帯端末装置２を装着していない状態において電源供給部１９を保護すべく、複写機１の電源供給部１９の収納位置に遮蔽部材を開閉自在に設けることもできる。
【００４６】
図８は、上記データ処理システムを構成する複写機及び携帯端末装置の制御部の処理手順の第１の例を示すフローチャートである。複写機１の操作パネル１０に携帯端末装置２を装着した状態で複写機１の電源をオンすると、複写機１の初期設定処理において中央処理ユニット４４は携帯端末装置２の電源をオンし（ｓ１，ｓ２）、携帯端末装置２のＣＰＵ５４が初期設定処理を開始する（ｓ３）。携帯端末装置２の初期設定が完了して待機状態になると（ｓ５）、ＣＰＵ５４は、表示部節電モード開始タイマＴ１及び電源節電モード開始タイマＴ２を起動する（ｓ６，ｓ７）。
【００４７】
ここに、表示部節電モード開始タイマＴ１は携帯端末装置２のディスプレイ３に対する電源の供給を中断するまでの携帯端末装置２の無操作状態の継続時間として予め定められた第１の設定時間を計時し、電源節電モード開始タイマＴ２は携帯端末装置２の電源をオフするまでの携帯端末装置２の無操作状態の継続時間として予め定められた第２の設定時間を計時する。したがって、携帯端末装置２が操作されることなく第１の設定時間が経過するとディスプレイ３の駆動が停止され、携帯端末装置２が操作されることなく第２の設定時間が経過すると電源がオフされる。但し、携帯端末装置２が複写機１に装着されている状態では、後述する処理により、第２の設定時間が経過しても携帯端末装置２の電源がオフされることはない。
【００４８】
なお、第２の設定時間は第１の設定時間よりも長い時間が設定されており、表示部節電モード開始タイマＴ１がタイムアップしてディスプレイ３が機能を停止した場合でも、電源節電モード開始タイマＴ２がタイムアップするまではＣＰＵ５４は処理動作が可能な状態にあり、この状態でキースイッチ５等が操作されると表示部節電モードは直ちに解除され、ディスプレイ３は表示部節電モード開始直前の表示状態に復帰する。
【００４９】
次に、複写機１の初期設定が完了して待機状態になると（ｓ８）、中央処理ユニット４４は、電源節電モード開始タイマＴ３を起動する（ｓ９）。この時、中央処理ユニット４４は、同時に、ＣＰＵ５４を介して携帯端末装置２の電源節電モード開始タイマＴ２をリセットする。
【００５０】
ここに、電源節電モード開始タイマＴ３は、複写機１の電源をオフするまでの中央処理ユニット４４に対する入力信号の無い状態の継続時間として予め定められた第３の設定時間を計時する。したがって、中央処理ユニット４４に信号が入力されることなく第３の設定時間を経過すると複写機１の電源がオフされる。
【００５１】
複写機１の中央処理ユニット４４は、待機状態において、表示部節電モード開始タイマＴ１、電源節電モード開始タイマＴ２及び電源節電モード開始タイマＴ３のいずれかがタイムアップする間に、操作パネル１０に配置されたキースイッチ１１〜１８の操作、又は、携帯端末装置２のタッチパネル５９若しくはキースイッチ５の操作による信号の入力を待機する（ｓ１０，ｓ１６〜ｓ１９）。電源節電モード開始タイマＴ２又は電源節電モード開始タイマＴ３がタイムアップすることなく表示部節電モード開始タイマＴ１がタイムアップすると、携帯端末装置２において表示部節電モードの実行により、ディスプレイ３の表示が中断される（ｓ１７）。
【００５２】
操作パネル１０に配置されたキースイッチ１１〜１８の操作、又は、携帯端末装置２のタッチパネル５９若しくはキースイッチ５の操作により信号が入力されると、中央処理ユニット４４は、タイマＴ１〜Ｔ３をクリアするとともに、既に、表示部節電モードが実行されている場合にはこれを解除し（ｓ１１）、操作パネル１０又はタッチパネル５９の操作による複写条件の設定入力を受け付ける（ｓ１２）。中央処理ユニット４４は、スタートキー１３が操作されると、設定された複写条件に基づいて複写動作を実行し（ｓ１３，ｓ１４）、複写動作を終了すると待機状態に戻る（ｓ１５→ｓ５）。
【００５３】
待機状態において複写機１及び携帯端末装置２が操作されることなく第２の設定時間が経過して電源節電モード開始タイマＴ２がタイムアップすると（ｓ１８）、携帯端末装置２のＣＰＵ５４は複写機１の中央処理ユニット４４に対して電源節電モードを実行する旨のデータを送信する（ｓ１８→ｓ２０）。電源節電モードを実行する旨のデータを受信した中央処理ユニット４４は、ＣＰＵ５４に対して電源節電モードのキャンセルすべき旨のデータを送信する（ｓ２１）。
【００５４】
待機状態において複写機１及び携帯端末装置２が操作されることなく第３の設定時間が経過して電源節電モード開始タイマＴ３がタイムアップすると（ｓ１９）、複写機１の中央処理ユニット４４は携帯端末装置２のＣＰＵ５４に対して電源節電モードを実行すべき旨のデータを送信し（ｓ２２）、電源節電モードを実行すべき旨のデータを受信したＣＰＵ５４は電源節電モードを実行する（ｓ２３）。この電源節電モードにおいてＣＰＵ５４は、揮発性メモリであるＲＡＭ５６に格納されているデータをハードディスク（ＨＤ）等の不揮発性メモリに書き込んだ後に携帯端末装置２の電源をオフする。一方、中央処理ユニット４４は、複写機１の各部の状態を不揮発性メモリに退避させた後（ｓ２４）、携帯端末装置２の電源がオフされたことを確認して複写機１の電源をオフする（ｓ２５，ｓ２６）。
【００５５】
以上の処理により、携帯端末装置２が複写機１に装着された状態で、複写機１及び携帯端末装置２が操作されることなく所定の時間を経過した際に、複写機１の中央処理ユニット４４と携帯端末装置２のＣＰＵ５４とが同時に電源節電モードを実行することになり、複写機１と携帯端末装置２とが単一のシステムとして一体的に電源オフ処理を行う。
【００５６】
図９は、上記データ処理システムを構成する複写機及び携帯端末装置の制御部の処理手順の第２の例を示すフローチャートである。図９に示す処理手順では、図８に示した処理手順におけるｓ３の処理とｓ５の処理との間にｓ４の処理を追加し、ｓ２０及びｓ２１の処理に代えてｓ２７の処理を含み、さらに、ｓ２２及びｓ２３の処理を削除したものである。即ち、複写機１の中央処理ユニット４４は、初期設定時に電源節電モード開始タイマＴ３が計時する第３の設定時間を、携帯端末装置２の電源節電モード開始タイマＴ２が計時すべき時間として携帯端末装置２のＣＰＵ５４に送信し、ＣＰＵ５４は送信された第３の設定時間を電源節電モード開始タイマＴ２に設定する。
【００５７】
したがって、複写機１における初期設定処理が終了した際に、複写機１における電源節電モード開始タイマＴ３が起動すると同時に携帯端末装置２における電源節電モード開始タイマＴ２がリセットされることにより（ｓ８，ｓ９）、ｓ１８において携帯端末装置２の電源節電モード開始タイマＴ２がタイムアップするタイミングがｓ１９において複写機１の電源節電モード開始タイマＴ３がタイムアップするタイミングと一致することになる。このため、電源節電モード開始タイマＴ２がタイムアップしたタイミングで複写機１における電源節電モードと独立して携帯端末装置２における電源節電モードを実行することにより（ｓ２７）、複写機１における電源節電モードと携帯端末装置２における電源節電モードとを略同時に実行させることができ、両者のタイミングを一致させるためのｓ２０〜ｓ２３の処理が不要になる。
【００５８】
図１０は、上記データ処理システムを構成する複写機及び携帯端末装置の制御部の処理手順の第３の例を示すフローチャートである。複写機１の操作パネル１０に携帯端末装置２を装着した状態で複写機１の電源をオンすると、複写機１の初期設定処理において中央処理ユニット４４は携帯端末装置２の電源をオンし（ｓ３１，ｓ３２）、携帯端末装置２のＣＰＵ５４が初期設定処理を開始する（ｓ３３）。この初期設定処理においてＣＰＵ５４は、第１アプリケーションプログラムを起動させる（ｓ３５）。
【００５９】
この第１アプリケーションプログラムは、携帯端末装置２に記憶されている全プログラムを管理するシステム管理用プログラムであり、少なくとも複写機１で実行される複写動作に係る複数の機能制御プログラムのそれぞれについて使用の可否を認識及び管理する。
【００６０】
即ち、複写機１で実行される複写動作に係る機能制御プログラムとして図１１に示すプログラムＰｒ２〜Ｐｒ７等が考えられ、これらの一部又は全てが、例えば、表計算プログラム等の複写動作に直接関係しないプログラムとともに、携帯端末装置２に予め格納されている。携帯端末装置２においては、複写機１に装着された状態での処理動作を円滑にするために複写動作に不要なプログラムや使用頻度の低いプログラムを起動しないようにすべく、これらのプログラムのそれぞれについて、使用の可否を予め登録しておくことができる。一方、複写機１において複写動作を円滑に実行するためには、携帯端末装置２の操作によって使用される可能性のある機能を予め把握しておく必要がある。そこで、第１アプリケーションプログラムを用いて携帯端末装置２における各機能制御プログラムの使用可否の登録状態を確認し、使用される可能性のある機能を認識するようにしている。
【００６１】
このように、第１アプリケーションプログラムは携帯端末装置２に格納されているプログラムのそれぞれについて使用可否の登録状態を確認するプログラムであるため、第１アプリケーションプログラムを用いて、複写動作の実行に必要な機能制御プログラムが携帯端末装置２において使用不可状態にされていること、又は、携帯端末装置２に存在しないことを確認することができる。そこで、ＣＰＵ５４は、第１アプリケーションプログラムを用いて複写動作の実行のために必要なプログラムが不足しているか否かを判断する（ｓ３６）。
【００６２】
なお、第１アプリケーションプログラムを複写機１側に格納しておき、複写機１の中央処理ユニット４４がＣＰＵ５４との通信により携帯端末装置２における各機能制御プログラムの使用可否の登録状態を確認するようにしてもよい。
【００６３】
また、携帯端末装置２のＣＰＵ５４が、第１アプリケーションプログラムによらず、ＲＯＭ５５に記憶されている初期設定処理プログラムにおいて、複写機１における複写動作の実行に不可欠なプログラムが携帯端末装置２に存在するか否かを認識するようにしてもよい。
【００６４】
携帯端末装置２のＣＰＵ５４は、不足するプログラムがある場合には、その旨のメッセージをディスプレイ３に表示するとともに（ｓ３７）、ユーザが複写機１と携帯端末装置２とによって構成されるシステムを用いた複写処理の実行を所望するか否かの選択入力状態をチェックし（ｓ３８）、ユーザが複写処理の実行を所望しない場合には携帯端末装置２の電源をオフするとともに、中央処理ユニット４４に対して複写機１の電源をオフすべき旨のデータを送信する（ｓ３９）。
【００６５】
ｓ３６において複写機１及び携帯端末装置２で構成されるシステムによる複写処理を実行するために必要なプログラムの全てが携帯端末装置２に存在する場合、又は、ｓ３８においてユーザが複写処理の実行を所望した場合には、携帯端末装置２のＣＰＵ５４及び複写機１の中央処理ユニット４４は、携帯端末装置２における初期設定の完了、及び、複写機１における初期設定の完了後に、携帯端末装置２のタッチパネル５９若しくはキースイッチ５の操作、又は、複写機１の操作パネル１０に配置されたキースイッチ１１〜１８の操作による信号の入力を待機する（ｓ４０〜ｓ４２）。
【００６６】
複写機１の操作パネル１０の操作による信号の入力があった場合には、中央処理ユニット４４は、携帯端末装置２のＣＰＵ５４に対して、操作パネル１０の操作内容に応じた表示内容をディスプレイ３に表示するためのプログラム、及び、ユーザの設定入力操作をタッチパネル５９において受け付けるためのプログラムを起動すべき旨のデータを送信する（ｓ４３→ｓ４４）。
【００６７】
携帯端末装置２のタッチパネル５９若しくはキースイッチ５の操作による信号の入力があった場合には、ＣＰＵ５４は、複写機１における複写処理に関する入力操作であるか否かの判断を行い（ｓ４３→ｓ４５）、例えば、表計算処理や文書作成処理等の携帯端末装置２の単独の機能に係る処理に関する入力操作がされた場合には、処理できない旨のメッセージをディスプレイ３に表示する（ｓ４６，ｓ４７）。
【００６８】
ｓ４４の処理において中央処理ユニット４４から所定のプログラムを起動すべき旨のデータが入力された場合、又は、タッチパネル５９若しくはキースイッチ５により複写処理に関する入力操作がなされた場合には、ＣＰＵ５４は、起動すべきプログラムが携帯端末装置２に存在するか否かの判断を行い（ｓ４９）、起動すべきプログラムが携帯端末装置２に存在しない場合には、処理できない旨のメッセージを表示する（ｓ４９→ｓ４６，ｓ４７）。
【００６９】
起動すべきプログラムが携帯端末装置２に存在する場合であって、タッチパネル５９又はキースイッチ５により複写処理に関する入力操作がなされた際には、ＣＰＵ５４は、その操作内容に係る設定モードを示すコマンドを複写機１の中央処理ユニット４４に送信し（ｓ５０→ｓ５１）、図１１に示す制御実行用の第２のアプリケーションプログラムＰｒ１、及び、機能制御プログラムＰｒ２〜Ｐｒ７のうちでユーザが指定した機能に係る機能制御プログラムを起動して（ｓ５２）、複写条件の設定入力を受け付ける（ｓ５３）。タッチパネル５９又はキースイッチ５の操作により複写条件が設定入力されると、ＣＰＵ５４は、設定入力された複写条件の内容を複写機１の中央処理ユニット４４に送信する。
【００７０】
なお、第２のアプリケーションプログラムＰｒ１は、例えば、機能制御プログラムＰｒ２〜Ｐｒ７のいずれかを選択するためのプログラムである。
【００７１】
複写機１の中央処理ユニット４４は、操作パネル１０におけるスタートキー１３が操作されると（ｓ５４）、携帯端末装置２から送信された複写条件データに基づいて複写動作を実行し（ｓ５５）、複写動作を終了すると待機状態に戻る（ｓ５６→ｓ４０）。
【００７２】
以上の処理により、複写機１に装着された携帯端末装置２を用いて複写機１における複写動作に係る複写条件の設定入力を受け付けることができる。この場合に、携帯端末装置２に記憶されている全プログラムを管理するシステム管理用プログラムを起動させることにより、複写動作に係る複写条件の設定入力を受け付けるための処理を携帯端末装置２のＣＰＵ５４において正確に実行することができる。また、ｓ３６〜ｓ３８の処理により、複写機１における複写動作に関する機能に係るプログラムのうち、一部のプログラムが携帯端末装置２に存在しない場合でも、携帯端末装置２が記憶しているプログラムに対応する機能の範囲で複写動作を実行することができ、システムの稼働効率の低下を防止することができる。さらに、ｓ４５〜ｓ４７の処理により、複写動作に係る機能以外の携帯端末装置２の機能の使用を禁止して、複写動作に不必要な機能に係るプログラムが起動することを防止し、複写動作に係る機能を迅速に動作させることができる。
【００７３】
なお、携帯端末装置２において複写動作に必要なプログラムが不足する場合には、図１２に示すように、複写機１から携帯端末装置２を取り外し、携帯端末装置２を単独で起動させ、初期設定処理を完了した後に（ｓ２７）、第３のアプリケーションプログラムを起動させる（ｓ２８）。この第３のアプリケーションプログラムは、複写動作に係る機能制御プログラムの使用可否を登録するプログラムであり、複写機１に装着した際に起動すべき機能制御プログラムを使用可能なプログラムとして登録することにより、複写動作に必要なプログラムを補充することができる（ｓ２９）。
【００７４】
なお、必要なプログラムが携帯端末装置２に存在しない場合には、ＦＤやＨＤ等の記録媒体を介して携帯端末装置２に外部から新たな機能制御プログラムを格納することもできる。
【００７５】
図１３は、上記データ処理システムを構成する複写機及び携帯端末装置の制御部の処理手順の第４の例を示すフローチャートである。複写機１の操作パネル１０に携帯端末装置２を装着した状態で複写機１の電源をオンすると、複写機１の初期設定処理において中央処理ユニット４４は携帯端末装置２の電源をオンし（ｓ７１，ｓ７２）、携帯端末装置２のＣＰＵ５４が初期設定処理を開始する（ｓ７３）。この初期設定処理においてＣＰＵ５４は、携帯端末装置２におけるタッチパネル５９以外の電源キー４等のキースイッチの操作を無効にする（ｓ７４）。また、例えばテンキーのように、複写機１の操作パネル１０と携帯端末装置２のタッチパネル５９とにおいて重複する入力部材が存在する場合には、いずれか一方の入力部材のみを有効にし、残る他方の入力部材を無効にする（ｓ７５，ｓ７６）。
【００７６】
この後、携帯端末装置２のＣＰＵ５４及び複写機１の中央処理ユニット４４は、携帯端末装置２における初期設定の完了、及び、複写機１における初期設定の完了後に、携帯端末装置２のタッチパネル５９若しくはキースイッチ５の操作、又は、複写機１の操作パネル１０に配置されたキースイッチ１１〜１８の操作による信号の入力を待機する（ｓ７７〜ｓ７９）。信号の入力があるまでの間において、複写機１及び携帯端末装置２の入力部材の状態をチェックし（ｓ８０）、いずれかの入力部材に異常がある場合には、ディスプレイ３にその旨のメッセージを表示するとともに、異常がある入力部材が複写機１と携帯端末装置２とにおいて重複する入力部材である場合には無効にしている入力部材を有効にする旨のメッセージを表示して、入力部材の有効及び無効を切り換える処理を行う（ｓ８１〜ｓ８３）。
【００７７】
信号の入力があった場合には、ＣＰＵ５４は、所定のプログラムを起動し（ｓ８４）、複写機１における複写動作に係る複写条件の設定入力を受け付け（ｓ８５）、設定入力された複写条件を複写機１の中央処理ユニット４４に送信する。一方、複写機１の中央処理ユニット４４は、操作パネル１０におけるスタートキー１３が操作されると（ｓ８６）、携帯端末装置２から送信された複写条件データに基づいて複写動作を実行し（ｓ８７）、複写動作を終了すると待機状態に戻る（ｓ８８→ｓ７７）。
【００７８】
以上の処理により、複写機１に装着されてデータ処理システムを構成している携帯端末装置２における電源スイッチ４等の強制的な機能を有する入力部材を無効にすることにより、複写機１の複写動作中や複写条件の設定入力中に携帯端末装置２において電源スイッチ４等が操作されることによってデータ処理システムが動作不能になることを確実に防止することができる。また、複写機１と携帯端末装置２とにおいて同一の機能に係る入力部材が重複して存在する場合に、一方の入力部材のみを有効にしてユーザの入力操作を簡略化するとともに、データ処理システムにおける入力信号の処理を簡略化することができる。さらに、複写機１と携帯端末装置２とにおいて同一の機能に係る入力部材が重複して存在する場合であって、それぞれの入力部材の耐久性に差異がある場合には、耐久性のより高い方の入力部材のみを有効にして装置の故障の発生を未然に防止することができる。加えて、複写機１と携帯端末装置２とにおいて同一の機能に係る入力部材が重複して存在する場合であって、有効にされている入力部材に異常を生じた場合には、無効にされている入力部材を有効状態に切り換えて使用することにより、データ処理システムの稼働効率の低下を防止することができる。
【００７９】
図１４は、上記データ処理システムを構成する複写機及び携帯端末装置の制御部の処理手順の第５の例を示すフローチャートである。この例では、複写機１に第１及び第２の電源供給部１９を備え、携帯端末装置２の装着部７に２個の電源供給部１９を接続している。複写機１の操作パネル１０に携帯端末装置２を装着した状態で複写機１の電源をオンすると、複写機１の初期設定処理において中央処理ユニット４４は第１の電源供給部１９から電源を供給して携帯端末装置２の電源をオンする（ｓ９１，ｓ９２）。
【００８０】
次いで、中央処理ユニット４４は、第１の電源供給部１９からの電源の供給状態をチェックし（ｓ９３）、第１の電源供給部１９から携帯端末装置２に対して正常に電源が供給されていない場合には、第１の電源供給部１９の電源ラインを遮断し（ｓ９４）、第２の電源供給部１９から携帯端末装置２に電源を供給する（ｓ９５，ｓ９６）。中央処理ユニット４４は、第２の電源供給部１９からの電源供給状態をチェックし（ｓ９７）、第２の電源供給部１９から携帯端末装置２に対して正常に電源が供給されていない場合には、第２の電源供給部１９の電源ラインを遮断して（ｓ９８）、複写機１の表示部にトラブルを発生した旨のメッセージを表示し（ｓ９９）、ユーザがシステムの起動の続行を指示した場合には複写機１の操作パネル１０のみで入力操作を受け付ける状態に切り換え（ｓ１００→ｓ１０２）、ユーザがシステムの起動の中止を指示した場合には複写機１の電源をオフする（ｓ１００→ｓ１０１）。
【００８１】
第１又は第２の電源供給部１９のいずれかからの電源供給が正常に行われている場合には、携帯端末装置２における初期設定を実行し（ｓ１０３）、携帯端末装置２及び複写機１における初期設定処理終了した後（ｓ１０４，ｓ１０５）、携帯端末装置２の電源を強制的にオフするまでの所定時間を計時するタイマを起動して（ｓ１０６）、信号の入力を待機する（ｓ１０７）。この電源強制オフタイマは、携帯端末装置２内に設けられている。
【００８２】
複写機１の中央処理ユニット４４は、信号が入力されるまでの間において、携帯端末装置２に対する電源供給部１９からの電源供給状態をチェックし（ｓ１０８）、第１の電源供給部１９から電源を供給していた場合には第１の電源供給部１９の電源ラインを遮断して第２の電源供給部１９から携帯端末装置２に電源を供給し（ｓ１０９→ｓ９４，ｓ９５）、第２の電源供給部１９から電源を供給していた場合には第２の電源供給部１９の電源ラインを切断してユーザの選択に応じた処理を実行する（ｓ１０９→ｓ９８〜ｓ１０２）。
【００８３】
なお、信号が入力されるまでの間における電源供給状態のチェックは、携帯端末装置２のＣＰＵ５４においても実行することができ、ＣＰＵ５４が電源供給状態の異常を検出した場合であって、第１の電源供給部１９から電源の供給を受けていた場合には複写機１の中央処理ユニット４４に対して電源供給部１９の切換を指示するデータを送信し、第２の電源供給部１９から電源の供給を受けていた場合には中央処理ユニット４４に対してトラブル発生を表示するデータを送信することができる。
【００８４】
信号が入力されるまでの間において電源供給状態が正常である場合には、複写機１の中央処理ユニット４４は、携帯端末装置２に対して電源強制オフタイマのリセットを指示するデータを送信する（ｓ１１０）。携帯端末装置２のＣＰＵ５４は、中央処理ユニット４４から電源強制オフタイマのリセット指示データを受信した場合には電源強制オフタイマの計時時間をクリアし（ｓ１１１→ｓ１１４）、電源強制オフタイマのリセット指示データを受信しなかった場合には、電源強制オフタイマのタイムアップを待って携帯端末装置２の電源をオフする（ｓ１１２，ｓ１１３）。この処理により、携帯端末装置２と複写機１との間の通信状態が適正でなく、携帯端末装置２を介して複写条件を複写機１に正確に送信できない場合には、携帯端末装置２の電源を強制的にオフして複写機１の誤動作を防止することができる。
【００８５】
待機状態において信号が入力されると、ＣＰＵ５４が電源強制オフタイマをリセットし（ｓ１１５）、携帯端末装置２のタッチパネル５９又は複写機１の操作パネル１０における複写条件の設定入力を受け付け（ｓ１１６）、スタートキー１３が操作されると設定された複写条件に基づいて複写動作を実行する（ｓ１１７，ｓ１１８）。この複写動作が終了すると待機状態に戻る（ｓ１１９→ｓ１０７）。
【００８６】
以上の処理により、２個の電源供給部１９のいずれかを有効に活用して、携帯端末装置２から複写機１に対して複写条件を設定入力することができる。
【００８７】
なお、ｓ９３における電源供給状態の判別処理を実行するための電源供給状態判別回路の一例を図１５に示す。携帯端末装置２が複写機１に装着された状態で、複写機１の電源が投入された際に複写機１から携帯端末装置２に流れる電流Ｉａの電流値をカレントトランス２１によって検出し、検出した電流値を抵抗Ｒ１により電圧Ｖａに変換する。この電圧Ｖａが抵抗Ｒ２，Ｒ３によって定まる閾値とＣＭＰ１において比較され、ＣＭＰ１の出力信号が中央処理ユニット４４に入力される。
【００８８】
即ち、複写機１の電源供給部１９が携帯端末装置２に接続されていない状態では電流Ｉａは流れず、電圧Ｖａ＝０となってＣＭＰ１の出力信号は“Ｌ”レベルになる。一方、電源供給部１９と携帯端末装置２とが正常に接続されて所定の電流Ｉａが流れることにより、電圧Ｖａが閾値を越えてＣＭＰ１の出力信号が“Ｈ”レベルになる。したがって、中央処理ユニット４４は、ＣＭＰ１の出力信号レベルに基づいて電源供給部１９と携帯端末装置２との接続状態の適否を判断することができる。
【００８９】
図１６及び図１７は、上記データ処理システムを構成する複写機及び携帯端末装置の制御部の処理手順の第６の例を示すフローチャートである。この例では、携帯端末装置２の電源を強制的にオフするための所定の時間を計時する電源強制オフタイマを複写機１に備えており、図１４に示したｓ９１〜ｓ１０６の処理後の待機状態において、携帯端末装置２のＣＰＵ５４は、複写機１の中央処理ユニット４４に対して電源強制オフタイマのリセット信号を所定時間毎に送信する（ｓ１２１）。
【００９０】
複写機１の中央処理ユニット４４は、電源強制オフタイマがタイムアップする間において携帯端末装置２からのリセット信号の送信を待機し（ｓ１２２，ｓ１２３）、リセット信号を受信すると携帯端末装置２に対して応答信号を送信する（ｓ１２４）。携帯端末装置２のＣＰＵ５４は、所定時間において複写機１からの応答信号の送信を待機し（ｓ１２５，ｓ１２６）、所定時間内に応答信号を受信しなかった場合にはディスプレイ３にトラブルを発生した旨のメッセージを表示するとともに（ｓ１２７）、データの退避処理の後に動作を停止する（ｓ１２８）。携帯端末装置２のＣＰＵ５４は、所定時間内に応答信号を受信した場合には、複写機１に対して電源強制オフタイマをリセットすべき旨のデータを送信して待機状態に戻る（ｓ１２９→１０７）。
【００９１】
複写機１の中央処理ユニット４４は、電源強制オフタイマがタイムアップするまでの間にリセット信号を受信しなかった場合には既に再起動処理を行ったか否かを判断し（ｓ１３０）、再起動処理を行っていない場合には携帯端末装置２に対して再起動信号を送信する（ｓ１３１）。携帯端末装置２のＣＰＵ５４は、複写機１からの再起動信号を受信するとデータの退避処理を実行するとともに、再起動処理を実行する（ｓ１３２）。一方、既に再起動処理を行っている場合には、複写機１の中央処理ユニット４４は、携帯端末装置２が再起動処理によっては正常状態に復帰できない状態であると判断して携帯端末装置２におけるデータの退避処理を待って携帯端末装置２に対する電源供給を遮断し（ｓ１３３）、所定時間経過後に携帯端末装置２への電源供給から処理を再開する（ｓ１３４→ｓ９２）。
【００９２】
待機状態において信号が入力されると、中央処理ユニット４４が電源強制オフタイマをリセットし（ｓ１１５）、携帯端末装置２のタッチパネル５９又は複写機１の操作パネル１０における複写条件の設定入力を受け付け（ｓ１１６）、スタートキー１３が操作されると設定された複写条件に基づいて複写動作を実行する（ｓ１１７，ｓ１１８）。この複写動作が終了すると待機状態に戻る（ｓ１１９→ｓ１０７）。
【００９３】
以上の処理により、複写機１と携帯端末装置２との間の通信状態が双方向について適正であるか否かをチェックし、少なくとも一方向の通信状態が適正でない場合には携帯端末装置２の再起動処理、又は、携帯端末装置２に対する電源供給の停止処理を行うことにより、複写機１と携帯端末装置２との間でデータを正常に送受信することができない状態でシステムが運用されることによる複写機１の誤動作を未然に防止することができる。
【００９４】
図１８及び図１９は、上記データ処理システムを構成する複写機及び携帯端末装置の制御部の処理手順の第７の例を示すフローチャートである。複写機１の操作パネル１０に携帯端末装置２を装着した状態で複写機１の電源をオンすると、複写機１の初期設定処理において中央処理ユニット４４は第１の電源供給部１９から電源を供給して携帯端末装置２の電源をオンする（ｓ９１，ｓ９２）。
【００９５】
次いで、中央処理ユニット４４は、第１の電源供給部１９からの電源の供給状態をチェックし（ｓ９３）、第１の電源供給部１９から携帯端末装置２に対して正常に電源が供給されていない場合には、携帯端末装置２が起動しているか否かをチェックする（ｓ１４１）。携帯端末装置２が起動している場合には、中央処理ユニット４４は、携帯端末装置２が内部バッテリによって起動したと判断し、携帯端末装置２に対して内部バッテリ容量を表示すべき旨のデータを送信してディスプレイ３にバッテリ容量を表示させる（ｓ１４２）。なお、内部バッテリは前述の充電型バッテリ６ａ，６ｂであってもよい。
【００９６】
この後、第１の電源供給部１９の電源ラインを遮断し（ｓ９４）、第２の電源供給部１９から携帯端末装置２に電源を供給する（ｓ９５）。携帯端末装置２が起動していない場合には直接ｓ９４，ｓ９５の処理を行う。
【００９７】
さらに、中央処理ユニット４４は、携帯端末装置２が内部バッテリによって起動した場合には、内部バッテリ容量に応じて充電処理を行う（ｓ１４３，ｓ１４４）。この後、中央処理ユニット４４は、第２の電源供給部１９からの電源供給状態をチェックし（ｓ９７）、第２の電源供給部１９から携帯端末装置２に対して正常に電源が供給されていない場合には、第２の電源供給部１９の電源ラインを遮断して（ｓ９８）、複写機１の表示部にトラブルを発生した旨のメッセージを表示し（ｓ９９）、携帯端末装置２における内部バッテリの有無をチェックする（ｓ１４５）。
【００９８】
中央処理ユニット４４は、携帯端末装置２に内部バッテリが存在せず、ユーザがシステムの起動の続行を指示した場合には複写機１の操作パネル１０のみで入力操作を受け付ける状態に切り換え（ｓ１４５→ｓ１００→ｓ１０２）、ユーザがシステムの起動の中止を指示した場合には複写機１の電源をオフする（ｓ１４５→ｓ１００→ｓ１０１）。中央処理ユニット４４は、携帯端末装置２に内部バッテリが存在する場合には、内部バッテリによる電源供給に切り換えた後（ｓ１４６）、内部バッテリ容量を第１基準及び第２基準と比較し（ｓ１４７，ｓ１４９）、内部バッテリ容量が第１基準又は第２基準のいずれかを満足する場合には内部バッテリ容量をディスプレイ３に表示させて携帯端末装置２の初期設定処理を行う（ｓ１５１→ｓ１０３）。
【００９９】
ここに、第１基準とは、例えば、内部バッテリの最大容量の１／２程度で短時間の使用に耐えうる程度の容量であり、第２基準とは、例えば、内部バッテリの最大容量の１／４程度でシステムにおける使用に耐えない程度の容量である。これら第１基準及び第２基準の内容は、ユーザが設定できるようにしてもよい。
【０１００】
中央処理ユニット４４は、内部バッテリ容量が第１基準又は第２基準を満足しない場合には、携帯端末装置２のディスプレイ３に内部バッテリ容量が不足する旨のメッセージを表示させる（ｓ１４８，ｓ１５０）。内部バッテリ容量が第２基準を満足しない場合には、携帯端末装置２のＣＰＵ５４は、複写機１に対して電源オフ処理を実行する旨のデータを送信して電源オフ処理を実行する（ｓ１５２，ｓ１５３）。この後、複写機１の中央処理ユニット４４は、この後、複写機１の操作パネル１０のみで入力操作を受け付ける状態に切り換える（ｓ１５４）。
【０１０１】
なお、ｓ１５２の処理に代えて、ｓ１５５及びｓ１５６の処理を実行することにより、携帯端末装置２から複写機１に対して電源オフ処理要求信号を送信し、電源オフ処理要求信号を受信した複写機１から携帯端末装置２に対して電源オフ処理命令を送信するようにしてもよい。
【０１０２】
第１又は第２の電源供給部１９のいずれかからの電源供給が正常に行われている場合には、携帯端末装置２における初期設定を実行し（ｓ１０３）、携帯端末装置２及び複写機１における初期設定処理終了した後（ｓ１０４，ｓ１０５）、信号の入力を待機する（ｓ１０７）。待機状態において信号が入力されると、携帯端末装置２のタッチパネル５９又は複写機１の操作パネル１０における複写条件の設定入力を受け付け（ｓ１１６）、スタートキー１３が操作されると設定された複写条件に基づいて複写動作を実行し（ｓ１１７，ｓ１１８）、システムを続行する場合には待機状態に戻る（ｓ１５７→ｓ１０７）。
【０１０３】
システムを終了する場合には、複写機１内のサブ電源を起動し（ｓ１５８）、複写機１及び携帯端末装置２の電源オフ処理を実行する（ｓ１５９）。電源オフ処理か完了すると、携帯端末装置２に対して複写機１のサブ電源から電力を供給して携帯端末装置２の内部バッテリの充電を行う（ｓ１６０）。携帯端末装置２の内部バッテリに対する充電処理が完了すると（ｓ１６１）、サブ電源をオフするか否かの指示に基づいてサブ電源のオフ処理（ｓ１６３）、及び、携帯端末装置２に対する電源供給の遮断処理（ｓ１６４）を実行する。
【０１０４】
以上の処理により、携帯端末装置２に対して複写機１からの電源供給が困難な場合に、携帯端末装置２が有する内部バッテリを用いてシステムを動作させることができる。また、内部バッテリ容量をディスプレイ３に表示することにより、システムの長時間の使用が可能か否かの状態をユーザが容易に認識することができる。さらに、携帯端末装置２の内部バッテリ容量が不足する場合に、システムの使用が終了した後において、複写機１のサブ電源から内部バッテリを充電することができる。また、このサブ電源による充電処理が完了した後にもサブ電源のオン状態を維持することにより、複写機１の予熱状態における電力消費を削減することができる。
【０１０５】
図２０及び図２１は、上記データ処理システムを構成する複写機及び携帯端末装置の制御部の処理手順の第８の例を示すフローチャートである。複写機１の操作パネル１０に携帯端末装置２を装着した状態で複写機１の電源をオンすると（ｓ９１）、中央処理ユニット４４は、複写機１に携帯端末装置２が装着されているか否かを判断し（ｓ１７１）、携帯端末装置２が装着されていない場合には複写機１のみの複写動作の可否を判断する（ｓ１７２）。携帯端末装置２が複写機１に装着さている場合には、中央処理ユニット４４は、第１の電源供給部１９から電源を供給して携帯端末装置２の電源をオンする（ｓ９２）。
【０１０６】
次いで、中央処理ユニット４４は、第１の電源供給部１９からの電源の供給状態をチェックし（ｓ９３）、第１の電源供給部１９から携帯端末装置２に対して正常に電源が供給されていない場合には、携帯端末装置２が起動しているか否かをチェックする（ｓ１４１）。携帯端末装置２が起動している場合には、中央処理ユニット４４は、携帯端末装置２が内部バッテリによって起動したと判断し、携帯端末装置２に対して内部バッテリ容量を表示すべき旨のデータを送信してディスプレイ３にバッテリ容量を表示させる（ｓ１４２）。この後、第１の電源供給部１９の電源ラインを遮断し（ｓ９４）、複写機１の操作パネル１０において携帯端末装置２に対して電源が接続されていない旨のメッセージを表示して（ｓ１７３）第２の電源供給部１９から携帯端末装置２に電源を供給する（ｓ９５）。携帯端末装置２が起動していない場合には直接ｓ９４，ｓ９５の処理を行う。さらに、中央処理ユニット４４は、携帯端末装置２が内部バッテリによって起動した場合には、内部バッテリ容量に応じて充電処理を行う（ｓ１４３，ｓ１４４）。
【０１０７】
中央処理ユニット４４は、第２の電源供給部１９からの電源供給状態をチェックし（ｓ９７）、第２の電源供給部１９から携帯端末装置２に対して正常に電源が供給されていない場合には、第２の電源供給部１９の電源ラインを遮断して（ｓ９８）、複写機１の表示部にトラブルを発生した旨のメッセージを表示し（ｓ９９）、ユーザがシステムの起動の続行を指示した場合には複写機１の操作パネル１０のみで入力操作を受け付ける状態に切り換え（ｓ１００→ｓ１０２）、ユーザがシステムの起動の中止を指示した場合には複写機１の電源をオフする（ｓ１００→ｓ１０１）。
【０１０８】
第１又は第２の電源供給部１９のいずれかからの電源供給が正常に行われている場合には、携帯端末装置２における初期設定を実行し（ｓ１０３）、携帯端末装置２及び複写機１における初期設定処理終了した後（ｓ１０４，ｓ１０５）、信号の入力を待機する（ｓ１０７）。
【０１０９】
複写機１の中央処理ユニット４４は、信号が入力されるまでの間において、複写機１に携帯端末装置２が装着されているか否かをチェックし（ｓ１７６）、複写機１に携帯端末装置２が装着されていない場合には携帯端末装置２に対して電源オフ命令を送信し（ｓ１７７）、所定時間の間において携帯端末装置２が電源オフ命令を受信したか否かをチェックする（ｓ１７８，ｓ１８０）。携帯端末装置２のＣＰＵ５４は、電源オフ命令を受信するとデータの退避処理を実行する（ｓ１７９）。ＣＰＵ５４は、このデータの退避処理の間において電源スイッチ５の操作を禁止する旨のメッセージをディスプレイ３に表示する（ｓ１８２）。このとき、携帯端末装置２が内部バッテリを備えている場合には、内部バッテリ容量も併せて表示する（ｓ１８３，ｓ１８４）。
【０１１０】
複写機１の中央処理ユニット４４は、携帯端末装置２におけるデータの退避処理が終了した後、又は、所定時間の間に携帯端末装置２が電源オフ命令を受信しなかった場合において操作パネル１０にトラブルを発生した旨のメッセージを表示した後（ｓ１８１）、携帯端末装置２に対する電源供給を遮断し（ｓ１８５）、複写機１の操作パネル１０のみで入力操作を受け付ける状態に切り換える（ｓ１８６）。
【０１１１】
待機状態において信号が入力されると、携帯端末装置２のタッチパネル５９又は複写機１の操作パネル１０における複写条件の設定入力を受け付け（ｓ１１６）、スタートキー１３が操作されると設定された複写条件に基づいて複写動作を実行する（ｓ１１７，ｓ１１８）。この複写動作が終了すると待機状態に戻る（ｓ１１９→ｓ１０７）。
【０１１２】
以上の処理により、携帯端末装置２の初期設定処理の前後において複写機１に対する携帯端末装置２の装着状態を確認し、システムの起動時において複写機１に携帯端末装置２が装着されていない場合や、システムの起動後に携帯端末装置２が複写機１に対する装着不良を生じた場合にも、複写機１の誤動作や装置の破損等を確実に防止することができる。また、複写機１の中央処理ユニット４４が携帯端末装置２の装着状態を確認した後に携帯端末装置２の初期設定処理を実行るため、複写機１が起動した後においても携帯端末装置２を複写機１に装着することができ、携帯端末装置２を装着する際に複写機１を再起動する必要がなく、システムを迅速に運用することができる。さらに、複写機１と携帯端末装置２とにより構成されるシステムの起動後に、携帯端末装置２の装着状態、及び、携帯端末装置２に対する電源供給状態の両方を監視するとともに、トラブル内容に応じたメッセージを表示することにより、システムの復帰処理をユーザが正確に実行することができる。
【０１１３】
【発明の効果】
請求項１に記載した発明によれば、第１データ処理装置と第２データ処理装置とが接続されている状態では、第１データ処理装置と第２データ処理装置とを同時に電源節電モードにすることにより、第２データ処理装置に接続されている第１データ処理装置において所定時間継続して処理データの入力操作が行われなかった場合に、電源節電機能により第１データ処理装置の電源のみが切断されることがないようにし、第２データ処理装置とともにデータ処理システムを構成している間において第１データ処理装置の電源が単独で切断されることによるデータ処理システムの使用不能状態の発生を未然に防止することができ、データ処理システムを常に適正に使用することができる。
【０１１４】
請求項２に記載した発明によれば、第２データ処理装置に接続されている状態の第１データ処理装置において一部のプログラムの実行を禁止することにより、第２データ処理装置とともに構成するデータ処理システムに不要なプログラムが第１データ処理装置において起動することがなく、データ処理システムの起動処理を迅速に行うことができる。
【０１１５】
請求項３に記載した発明によれば、単一のデータ処理システムを構成する第１データ処理装置と第２データ処理装置とにおいて機能が共通する入力操作部材が存在する場合に、一方の入力操作部材のみを有効にすることにより、第１データ処理装置及び第２データ処理装置のそれぞれから同一の機能に係る処理データが入力されることがなく、データ処理システムの誤動作を未然に防止することができる。
【０１１６】
請求項４に記載した発明によれば、第１データ処理装置に対する第２データ処理装置からの電源供給状態に応じて、第１データ処理装置の内部電源、又は、第２データ処理装置の電源供給部のいずれかから第１データ処理装置の電源を選択的に供給することにより、第１データ処理装置に対して適宜最適な手段により電源を供給することができ、データ処理システムの稼働効率を向上することができる。
【０１１７】
請求項５に記載した発明によれば、第１データ処理装置の内部電源を第２データ処理装置の電源供給部を用いて充電することにより、第２データ処理装置とによってデータ処理システムを構成している間に、第１データ処理装置を単独で動作させる際の電源を補充することができ、第１データ処理装置の稼働効率を向上することができる。
【０１１８】
請求項６に記載した発明によれば、第２データ処理装置とともにデータ処理システムを構成している第１データ処理装置が、第２のデータ処理装置との接続状態を解除した際に、第２データ処理装置からの命令に基づいて第１データ処理装置に電源オフ処理を実行させることにより、第１データ処理装置と第２データ処理装置との接続不良を生じた場合に第１データ処理装置が処理データの入力操作を受け付けないようにしてデータ処理システムの誤動作を未然に防止することができる。
請求項７に記載した発明によれば、第１データ処理装置と第２データ処理装置とが接続されている状態で、第１データ処理装置における電源節電機能を有効にするまでの待機状態の継続時間として第２データ処理装置における電源節電機能が有効にされるまでの待機状態の継続時間を設定することにより、第１データ処理装置における電源節電機能が有効にされるまでの待機状態の継続時間が経過した時に、第１データ処理装置と第２データ処理装置との間でデータを遣り取りすることなく、容易に第１データ処理装置と第２データ処理装置とにおいて電源節電モードを同時に実行することができる。
請求項８に記載した発明によれば、第１データ処理装置と第２データ処理装置とが接続されている状態では、第２データ処理装置側で待機状態が所定時間継続した時に、第１データ処理装置が処理データを不揮発性メモリに格納し、かつ、第２データ処理装置が処理動作の状態を不揮発性メモリに格納するのを待って、第１データ処理装置と第２データ処理装置とを同時に電源節電モードにすることにより、第２データ処理装置に接続されている第１データ処理装置において所定時間継続して処理データの入力操作が行われなかった場合に、電源節電機能により第１データ処理装置の電源のみが切断されることがないようにし、第２データ処理装置とともにデータ処理システムを構成している間において第１データ処理装置の電源が単独で切断されることによるデータ処理システムの使用不能状態の発生を未然に防止することができ、データ処理システムを常に適正に使用することができる。
【図面の簡単な説明】
【図１】この発明の実施形態に係るデータ処理システムを構成する複写機の構成を示す図である。
【図２】上記複写機の制御部の構成を示すブロック図である。
【図３】上記データ処理システムを構成する携帯端末装置の正面図及び背面図である。
【図４】上記携帯端末装置の制御部の構成を示すブロック図である。
【図５】上記携帯端末装置の装着時における複写機の操作パネルを示す図である。
【図６】上記携帯端末装置のディスプレイの表示状態を示す図である。
【図７】上記複写機の操作パネルに対する携帯端末装置の装着状態を説明する図である。
【図８】上記データ処理システムを構成する複写機及び携帯端末装置の制御部の処理手順の第１の例を示すフローチャートである。
【図９】同複写機及び携帯端末装置の制御部の処理手順の第２の例を示すフローチャートである。
【図１０】同複写機及び携帯端末装置の制御部の処理手順の第３の例を示すフローチャートである。
【図１１】同複写機で実行される複写動作に係る機能制御プログラムの一例を示す図である。
【図１２】上記制御部の処理手順の第３の例の別の処理を示すフローチャートである。
【図１３】同複写機及び携帯端末装置の制御部の処理手順の第４の例を示すフローチャートである。
【図１４】同複写機及び携帯端末装置の制御部の処理手順の第５の例を示すフローチャートである。
【図１５】同複写機が備える電源供給状態判別回路の一例を示す図である。
【図１６】同複写機及び携帯端末装置の制御部の処理手順の第６の例を示すフローチャートである。
【図１７】同フローチャートである。
【図１８】同複写機及び携帯端末装置の制御部の処理手順の第７の例を示すフローチャートである。
【図１９】同フローチャートである。
【図２０】同複写機及び携帯端末装置の制御部の処理手順の第８の例を示すフローチャートである。
【図２１】同フローチャートである。
【符号の説明】
１−複写機（第１データ処理装置）
２−携帯端末装置（第２データ処理装置）
３−ディスプレイ
４−電源スイッチ
５−キースイッチ
１０−操作パネル
４４−中央処理ユニット
５４−ＣＰＵ
５９−タッチパネル
【図１】
0003946330.tif 000002
【図２】
0003946330.tif 000003
【図３】
0003946330.tif 000004
【図４】
0003946330.tif 000005
【図５】
0003946330.tif 000006
【図６】
0003946330.tif 000007
【図７】
0003946330.tif 000008
【図８】
0003946330.tif 000009
【図９】
0003946330.tif 000010
【図１０】
0003946330.tif 000011
【図１１】
0003946330.tif 000012
【図１２】
0003946330.tif 000013
【図１３】
0003946330.tif 000014
【図１４】
0003946330.tif 000015
【図１５】
0003946330.tif 000016
【図１６】
0003946330.tif 000017
【図１７】
0003946330.tif 000018
【図１８】
0003946330.tif 000019
【図１９】
0003946330.tif 000020
【図２０】
0003946330.tif 000021
【図２１】
0003946330.tif 000022